(57)【要約】【課題】この発明は、簡易でしかも経年変化や熱による影響を受け難い構成で、セパレータに配置された磁性体の振動によるうなり音を低減することができ、実用に好適する偏向ヨーク装置及びそれを用いた表示装置を提供することを目的としている。【解決手段】水平偏向コイル２８及び垂直偏向コイル２６が取り付けられたセパレータ２５と、磁性体３１の表面を覆い該磁性体３１と一体的に固定される硬質な支持部材３２と、セパレータ２５の所定位置に形成され、支持部材３２の一部が磁性体３１を接触させるよりも広い接触面積をもって嵌合される凹状の嵌合部３３と、嵌合部３３に支持部材３２の一部が嵌合された状態で、支持部材３２をセパレータ２５に固着する接着剤３４とを備える。【選択図】    図５
2005190682.tif 000002
【特許請求の範囲】
【請求項１】
水平偏向コイル及び垂直偏向コイルが取り付けられたセパレータと、
磁性体の表面を覆い該磁性体と一体的に固定される硬質な支持部材と、
前記セパレータの所定位置に形成され、前記支持部材の一部が前記磁性体を接触させるよりも広い接触面積をもって嵌合される凹状の嵌合部と、
前記嵌合部に前記支持部材の一部が嵌合された状態で、前記支持部材を前記セパレータに固着する接着剤とを具備したことを特徴とする偏向ヨーク装置。
【請求項２】
水平偏向コイル及び垂直偏向コイルが取り付けられたセパレータと、
磁性体の表面を覆い該磁性体と一体的に固定される硬質な支持部材と、
前記セパレータに突設され、前記支持部材の一部を、前記セパレータの所定位置に前記磁性体を接触させるよりも広い接触面積をもって接触させた状態で、前記支持部材を前記セパレータに固着する保持部とを具備したことを特徴とする偏向ヨーク装置。
【請求項３】
水平偏向コイル及び垂直偏向コイルが取り付けられたセパレータと、
磁性体の表面を覆い該磁性体と一体的に固定される硬質な支持部材と、
前記セパレータの所定位置に形成され、前記支持部材が前記磁性体を接触させるよりも広い接触面積をもって収納される凹状の収納部と、
前記セパレータに形成され、前記収納部に前記支持部材が収納された状態で、前記支持部材を前記収納部内に固着する保持部とを具備したことを特徴とする偏向ヨーク装置。
【請求項４】
映像信号が入力される入力部と、
前記入力部に入力された映像信号から抽出された同期信号に基づいて偏向電流を生成する偏向電流生成手段と、
前記偏向電流生成手段で生成された偏向電流によって電子ビームを偏向する磁界を発生させる偏向ヨーク部と、
前記偏向ヨーク部によって発生された磁界で電子ビームを偏向することにより、前記入力部に入力された映像信号を映像表示する表示手段とを具備し、
前記偏向ヨーク部は、
水平偏向コイル及び垂直偏向コイルが取り付けられたセパレータと、
磁性体の表面を覆い該磁性体と一体的に固定される硬質な支持部材と、
前記セパレータの所定位置に形成され、前記支持部材の一部が前記磁性体を接触させるよりも広い接触面積をもって嵌合される凹状の嵌合部と、
前記嵌合部に前記支持部材の一部が嵌合された状態で、前記支持部材を前記セパレータに固着する接着剤とを備えたことを特徴とする表示装置。
【請求項５】
映像信号が入力される入力部と、
前記入力部に入力された映像信号から抽出された同期信号に基づいて偏向電流を生成する偏向電流生成手段と、
前記偏向電流生成手段で生成された偏向電流によって電子ビームを偏向する磁界を発生させる偏向ヨーク部と、
前記偏向ヨーク部によって発生された磁界で電子ビームを偏向することにより、前記入力部に入力された映像信号を映像表示する表示手段とを具備し、
前記偏向ヨーク部は、
水平偏向コイル及び垂直偏向コイルが取り付けられたセパレータと、
磁性体の表面を覆い該磁性体と一体的に固定される硬質な支持部材と、
前記セパレータに突設され、前記支持部材の一部を、前記セパレータの所定位置に前記磁性体を接触させるよりも広い接触面積をもって接触させた状態で、前記支持部材を前記セパレータに固着する保持部とを備えたことを特徴とする表示装置。
【請求項６】
映像信号が入力される入力部と、
前記入力部に入力された映像信号から抽出された同期信号に基づいて偏向電流を生成する偏向電流生成手段と、
前記偏向電流生成手段で生成された偏向電流によって電子ビームを偏向する磁界を発生させる偏向ヨーク部と、
前記偏向ヨーク部によって発生された磁界で電子ビームを偏向することにより、前記入力部に入力された映像信号を映像表示する表示手段とを具備し、
前記偏向ヨーク部は、
水平偏向コイル及び垂直偏向コイルが取り付けられたセパレータと、
磁性体の表面を覆い該磁性体と一体的に固定される硬質な支持部材と、
前記セパレータの所定位置に形成され、前記支持部材が前記磁性体を接触させるよりも広い接触面積をもって収納される凹状の収納部と、
前記セパレータに形成され、前記収納部に前記支持部材が収納された状態で、前記支持部材を前記収納部内に固着する保持部とを備えたことを特徴とする表示装置。
【発明の詳細な説明】
【技術分野】
【０００１】
この発明は、例えばカラーテレビジョン受信機やカラーディスプレイ装置等の陰極線管に使用される偏向ヨーク装置の改良に関する。また、この発明は、上記の偏向ヨーク装置を用いた表示装置に関する。
【背景技術】
【０００２】
周知のように、首記の如き偏向ヨーク装置は、電子銃から発射される３原色に対応した各電子ビームＲ（Red），Ｇ（Green），Ｂ（Blue）に対して、水平方向及び垂直方向の偏向を加えることにより、各電子ビームＲ，Ｇ，Ｂが蛍光面上を一定の経路に沿って走査するように制御している。
【０００３】
この偏向ヨーク装置は、略喇叭状に形成されたセパレータを備え、その内側に設置された水平偏向コイルと、外側に設置された垂直偏向コイルとに、それぞれ水平及び垂直周期に同期した鋸歯状の偏向電流を流して磁界を発生させ、この磁界によって各電子ビームＲ，Ｇ，Ｂに偏向を与えている。
【０００４】
そして、このような偏向ヨーク装置においては、水平偏向コイルによって発生される水平偏向磁界をピンクッション型の分布とし、垂直偏向コイルによって発生される垂直偏向磁界をバレル型の分布とすることによって、ミスコンバーゼンスを低減させるように構成している。
【０００５】
ところで、この種の偏向ヨーク装置では、垂直偏向コイルによって発生されるバレル型分布の垂直偏向磁界に対して、左右糸巻き歪を補正する等のために、さらにその一部にピンクッション磁界またはピン傾向の磁界を発生させることがある。このようなピン磁界の発生は、通常、セパレータと垂直偏向コイルとの間の所要箇所に磁性体を配置することで実現される。
【０００６】
しかしながら、セパレータと垂直偏向コイルとの間に磁性体を配置する構造では、磁性体を垂直偏向コイルの発生する垂直偏向磁界が常時鎖交することにより、磁性体が垂直偏向周波数（５０Ｈｚまたは６０Ｈｚ）の周期で振動して、うなり音が発生するという問題が生じる。
【０００７】
この問題に対して、特許文献１には、水平偏向コイルと垂直偏向コイルとを絶縁する絶縁枠（セパレータ）に磁性片を装着する際、その磁性片を未加硫ゴム等の粘弾性体で覆うことにより、磁性片の振動を吸収し防音を図るようにした構成が開示されている。
【０００８】
しかしながら、この特許文献１に記載された構成では、粘弾性体が経年変化によって硬質化し、その弾性性能が暫時劣化していくため、長期間に渡って磁性片の振動を良好に吸収して防音を図ることが困難になるものである。特に、偏向ヨーク装置は、それ自体発熱するものであるため、その熱がゴムの劣化を助長させることにもなる。
【特許文献１】特開平８−２６４１３４号公報
【発明の開示】
【発明が解決しようとする課題】
【０００９】
そこで、この発明は上記事情を考慮してなされたもので、簡易でしかも経年変化や熱による影響を受け難い構成で、セパレータに配置された磁性体の振動によるうなり音を低減することができ、実用に好適する偏向ヨーク装置及びそれを用いた表示装置を提供することを目的とする。
【課題を解決するための手段】
【００１０】
この発明に係る偏向ヨーク装置は、水平偏向コイル及び垂直偏向コイルが取り付けられたセパレータと、磁性体の表面を覆い該磁性体と一体的に固定される硬質な支持部材と、セパレータの所定位置に形成され、支持部材の一部が磁性体を接触させるよりも広い接触面積をもって嵌合される凹状の嵌合部と、嵌合部に支持部材の一部が嵌合された状態で、支持部材をセパレータに固着する接着剤とを備えるようにしたものである。
【００１１】
また、この発明に係る表示装置は、映像信号が入力される入力部と、入力部に入力された映像信号から抽出された同期信号に基づいて偏向電流を生成する偏向電流生成手段と、偏向電流生成手段で生成された偏向電流によって電子ビームを偏向する磁界を発生させる偏向ヨーク部と、偏向ヨーク部によって発生された磁界で電子ビームを偏向することにより、入力部に入力された映像信号を映像表示する表示手段とを具備し、偏向ヨーク部は、水平偏向コイル及び垂直偏向コイルが取り付けられたセパレータと、磁性体の表面を覆い該磁性体と一体的に固定される硬質な支持部材と、セパレータの所定位置に形成され、支持部材の一部が磁性体を接触させるよりも広い接触面積をもって嵌合される凹状の嵌合部と、嵌合部に支持部材の一部が嵌合された状態で、支持部材をセパレータに固着する接着剤とを備えるようにしたものである。
【発明の効果】
【００１２】
上記した発明によれば、磁性体を硬質の支持部材を介してセパレータに固着しているので、垂直偏向コイルの発生する垂直偏向磁界が鎖交することによる磁性体の振動が阻止され、磁性体の振動によるうなり音を低減することができる。また、磁性体を硬質の支持部材で覆ってセパレータに固定する構成であって、弾性力を有する部材を用いる構造ではないため、構成が簡易で、しかも経年変化や熱による性能の劣化を受け難いものである。
【発明を実施するための最良の形態】
【００１３】
以下、この発明の実施の形態について図面を参照して詳細に説明する。図１は、この実施の形態で説明するテレビジョン放送受信機１１を正面側から見た状態を示している。このテレビジョン放送受信機１１は、主として、キャビネット１２と、このキャビネット１２を支持する支持台１３とから構成されている。
【００１４】
このうち、キャビネット１２には、その正面中央部にＣＲＴ（Cathode Ray Tube）１４の画面が配置されている。また、このキャビネット１２には、そのＣＲＴ１４画面の両側に、電源スイッチ１５及びワイヤレスリモートコントローラから送出された操作情報を受信するための受信部１６等が配置されている。
【００１５】
一方、上記支持台１３は、キャビネット１２の底面中央部に回動自在に連結されるもので、所定の基台１７の水平面上に載置された状態で、キャビネット１２を起立させて支持するように構成されている。
【００１６】
図２は、上記テレビジョン放送受信機１１の信号処理系を示している。すなわち、アンテナ１８で受信されたテレビジョン放送信号は、チューナ部１９に供給される。このチューナ部１９は、入力されたテレビジョン放送信号から所望の放送チャンネルのテレビジョン信号を選局する。
【００１７】
そして、このチューナ部１９は、選局したテレビジョン信号を映像復調処理部２０と同期検出部２１とに供給している。このうち、映像復調処理部２０は、入力されたテレビジョン信号から映像成分を抽出し、復調処理を施した後、ドライブ部２２を介して上記ＣＲＴ１４に出力している。
【００１８】
また、同期検出部２１は、入力されたテレビジョン信号から水平及び垂直の各同期成分を抽出し、偏向電流生成部２３に出力している。この偏向電流生成部２３は、入力された水平及び垂直の各同期成分から、水平及び垂直の各偏向電流を生成し、ＣＲＴ１４のネック部１４ａに取り付けられた偏向ヨーク部２４に出力している。
【００１９】
そして、偏向電流生成部２３が出力した水平及び垂直の各偏向電流が、偏向ヨーク部２４の水平偏向コイル及び垂直偏向コイルにそれぞれ供給されることによって、ドライブ部２２から出力された映像信号がＣＲＴ１４に映像表示されるようになる。
【００２０】
図３は、上記偏向ヨーク部２４の外観を示している。すなわち、略喇叭状に形成されたセパレータ２５の外側には、垂直偏向コイル２６がトロイダル状に巻回されたコア２７が配設されている。また、このセパレータ２５の内側には、サドル状に巻回された水平偏向コイル２８が配設されている。そして、このセパレータ２５は、その径小な方の開口部が、取り付けバンド２９を介してＣＲＴ１４のネック部１４ａに取り付けられる。
【００２１】
ここで、図４に示すように、上記セパレータ２５には、その径小な方の開口部に近い外周面の一部に、垂直偏向コイル２６によって発生されるバレル型分布の垂直偏向磁界の一部にピンクッション磁界またはピン傾向の磁界を発生させるための磁性体部３０が配設されている。
【００２２】
この磁性体部３０としては、図５（ａ）に示すように、略直方体状に形成された磁性体３１の表面を、非弾性の硬質な支持部材３２で覆い、磁性体３１と支持部材３２とを一体的に固定して略直方体状に形成したものである。この場合、支持部材３２としては、例えばＰＰ（ポリプロピレン）やＰＢＴ（ポリブチレンテレフタレート）のような樹脂等が使用される。
【００２３】
一方、セパレータ２５には、その外周面の所定位置に予め磁性体部３０の一側面部が嵌合可能な凹状の嵌合部３３が形成されている。そして、磁性体部３０を嵌合部３３に嵌合させ、図５（ｂ）に示すように、嵌合部３３の底面と該底面に対向する磁性体部３０の一側面とを、接着剤３４で固着する。
【００２４】
上記した実施の形態によれば、磁性体３１を硬質の支持部材３２を介してセパレータ２５に固着しているので、垂直偏向コイル２６の発生する垂直偏向磁界が鎖交することによる磁性体３１の振動が阻止され、磁性体３１の振動によるうなり音を低減することができる。
【００２５】
また、磁性体３１を硬質の支持部材３２で覆ってセパレータ２５に固着する構成であって、弾性力を有する部材を用いる構造ではないため、構成が簡易で、しかも経年変化や熱による性能の劣化を受け難いという効果がある。
【００２６】
さらに、磁性体３１を硬質の支持部材３２で覆い、その支持部材３２の一側面部をセパレータ２５に接触させて固着する構成であるため、磁性体３１を単体でセパレータ２５に接触させる構造に比べて接触面積を広くとることができるので、磁性体３１をセパレータ２５に強固に固着することができる。
【００２７】
また、磁性体３１を硬質の支持部材３２で覆うことにより、次のような効果も生じる。すなわち、セパレータ２５は、その外周面が湾曲しており、磁性体３１の表面をセパレータ２５の湾曲面に合わせて加工することは非常に困難である。ところが、磁性体３１を支持部材３２で覆うことにより、支持部材３２の表面をセパレータ２５の湾曲面に合わせて加工すればよく、支持部材３２が樹脂等であれば、容易に加工することができる。
【００２８】
さらに、磁性体３１は、通常、金型成形品のため、成形ばらつきによりセパレータ２５との接触部分が点接触状態となり、強固な固定ができずに振動し易くなる。ところが、磁性体３１を支持部材３２で覆うことにより、支持部材３２の表面をセパレータ２５の接触面と同形状にて加工した場合、支持部材３２をセパレータ２５に面接触させることにより強固に固着させることができる。
【００２９】
また、磁性体部３０をセパレータ２５に形成された凹状の嵌合部３３に嵌合させるようにしたので、磁性体部３０を取り付ける際の位置決めが容易で、組立作業性を向上させることができる。
【００３０】
なお、接着剤３４としては、例えばシリコン系接着剤、弾性接着剤等を使用することができる。いずれの接着剤であっても、強固に固化するものであれば、磁性体３１の振動を抑えることが可能である。
【００３１】
実験によれば、３２インチの偏向ヨークの場合、対策前のうなり音が５１ｄＢであったのに対し、対策後のうなり音は４７ｄＢに改善されるという結果も出ている。
【００３２】
また、磁性体３１を支持部材３２で覆う際には、図６に示すように、直方体状に形成された磁性体３１のうち、セパレータ２５に形成された嵌合部３３の底面に対向する面と、その面に直交する４つの側面とを支持部材３２で覆い、嵌合部３３の底面に対向する面と反対側の面は露出させておいても、上記した効果を得ることができる。
【００３３】
この場合、図７に示すように、磁性体３１のうち、嵌合部３３の底面に対向する面と反対側の面の周縁部分までも支持部材３２で覆うようにすれば、磁性体３１を支持部材３２内に強固に覆うことが可能である。
【００３４】
また、上記した実施の形態では、磁性体部３０をセパレータ２５に固着する固着手段として、接着剤３４を使用することについて述べたが、この固着手段としては接着剤３４に限らず、例えば図８、図９及び図１０に示すような、機械的な構造を用いることも可能である。
【００３５】
まず、図８に示す構造は、セパレータ２５の外周面の所定位置から、略Ｌ字状の弾性を有する保持部３５を突出させ、この保持部３５内に磁性体部３０を収納することにより、磁性体部３０をセパレータ２５に固着するようにしたものである。
【００３６】
また、図９に示す構造は、セパレータ２５の外周面の所定位置に凹状の収納部３６を形成し、この収納部３６の開口部の一部から収納部３６に対して蓋となるように弾性を有する保持部３７を突出させ、収納部３６内に収納した磁性体部３０を保持部３７で固着するようにしたものである。
【００３７】
さらに、図１０に示す構造は、セパレータ２５の外周面の所定位置に凹状の収納部３８を形成し、この収納部３８の開口部の一部から収納部３８に対して蓋となるように弾性を有する保持部３９を突出させ、収納部３８内に収納した磁性体部３０を保持部３９で固着するようにしたものである。この場合、保持部３９は、セパレータ２５の径大な方の開口部側から径小な方の開口部側に向けて突出されている。
【００３８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３９】
【図１】この発明の実施の形態を示すもので、テレビジョン放送受信機の外観を説明するために示す正面図。
【図２】同実施の形態におけるテレビジョン放送受信機の信号処理系を説明するために示すブロック構成図。
【図３】同実施の形態におけるテレビジョン放送受信機の偏向ヨーク部の外観を説明するために示す側面図。
【図４】同実施の形態における偏向ヨーク部のセパレータに対する磁性体の取り付け位置を説明するために示す断面図。
【図５】同実施の形態におけるセパレータに磁性体を固着する固着手段の一例を説明するために示す断面図。
【図６】同実施の形態における磁性体を支持部材で覆う形態の変形例を説明するために示す断面図。
【図７】同実施の形態における磁性体を支持部材で覆う形態の変形例を説明するために示す断面図。
【図８】同実施の形態におけるセパレータに磁性体を固着する固着手段の変形例を説明するために示す断面図。
【図９】同実施の形態におけるセパレータに磁性体を固着する固着手段の変形例を説明するために示す断面図。
【図１０】同実施の形態におけるセパレータに磁性体を固着する固着手段の変形例を説明するために示す断面図。
【符号の説明】
【００４０】
１１…テレビジョン放送受信機、１２…キャビネット、１３…支持台、１４…ＣＲＴ、１５…電源スイッチ、１６…受信部、１７…基台、１８…アンテナ、１９…チューナ部、２０…映像復調処理部、２１…同期検出部、２２…ドライブ部、２３…偏向電流生成部、２４…偏向ヨーク部、２５…セパレータ、２６…垂直偏向コイル、２７…コア、２８…水平偏向コイル、２９…取り付けバンド、３０…磁性体部、３１…磁性体、３２…支持部材、３３…嵌合部、３４…接着剤、３５…保持部、３６…収納部、３７…保持部、３８…収納部、３９…保持部。
【図１】
2005190682.tif 000003
【図２】
2005190682.tif 000004
【図３】
2005190682.tif 000005
【図４】
2005190682.tif 000006
【図５】
2005190682.tif 000007
【図６】
2005190682.tif 000008
【図７】
2005190682.tif 000009
【図８】
2005190682.tif 000010
【図９】
2005190682.tif 000011
【図１０】
2005190682.tif 000012